(57)【要約】【課題】装飾性の高い立体的なデザインのラインストーン付きマスクを自由に生成できるラインストーン付きマスク画像生成システムを提供することを目的とする。【解決手段】ラインストーン付きマスク画像生成システムは、ユーザ情報端末１と、ユーザ情報端末１と通信可能に接続されたサーバ装置２とから構成される。ユーザ情報端末１は、各種画像を表示する画像表示部１１１と、各種入力を受け付ける入力受付部１１２とを備える。サーバ装置２は、制御部２３によりデータベース部２１に記憶された複数のマスク画像Ｇ１とラインストーン画像Ｇ２をユーザ情報端末１の画像表示部１１１に表示させて選択せしめ、ユーザ情報端末の入力受付部１１２により選択されたマスク画像Ｇ１とラインストーン画像Ｇ２に基づいてラインストーン付きマスク画像Ｇ３を生成し、ラインストーン付きマスク画像Ｇ３をデータベース部２１に記憶させる。【選択図】図１
0003232211.tif 000002
【実用新案登録請求の範囲】
【請求項１】
ユーザ情報端末と、該ユーザ情報端末とネットワークを介して通信可能に接続されたサーバ装置とから構成され、マスクにラインストーンが設けられたラインストーン付きマスク画像を生成するためのラインストーン付きマスク画像生成システムであって、
前記ユーザ情報端末は、
各種画像を表示する画像表示部と、
各種入力を受け付ける入力受付部とを備え、
前記サーバ装置は、
複数のマスク画像を記憶するマスク画像データベースと、
複数のラインストーン画像を記憶するラインストーン画像データベースと、
マスク画像にラインストーン画像を配置したラインストーン付きマスク画像を記憶するラインストーン付きマスク画像データベースと、
各部を制御する制御部とを備え、
前記制御部は、
前記マスク画像データベースに記憶されている複数のマスク画像をユーザ情報端末の画像表示部に表示させ、前記ユーザ情報端末の前記入力受付部によりマスク画像を選択せしめるマスク画像選択部と、
前記ラインストーン画像データベースに記憶されている複数のラインストーン画像を前記ユーザ情報端末の前記画像表示部に表示させ、前記ユーザ情報端末の前記入力受付部によりラインストーン画像を選択せしめるラインストーン画像選択部と、
前記ユーザ情報端末の前記入力受付部により選択されたマスク画像とラインストーン画像に基づいてラインストーン付きマスク画像を生成し、該ラインストーン付きマスク画像を前記ラインストーン付きマスク画像データベースに記憶させるラインストーン付きマスク画像生成部とを備えることを特徴とするラインストーン付きマスク画像生成システム。
【請求項２】
前記ラインストーン画像選択部は、前記ユーザ情報端末の前記画像表示部においてラインストーン画像をマスク画像の所望の位置に配置可能に表示させるものである請求項１に記載のラインストーン付きマスク画像生成システム。
【請求項３】
前記ラインストーン画像選択部は、前記ユーザ情報端末の前記画像表示部においてラインストーン画像を所望の色彩、大きさ、および／または向きに変更可能に表示させるものである請求項１または請求項２に記載のラインストーン付きマスク画像生成システム。
【請求項４】
前記ラインストーン付きマスク画像生成部は、前記ユーザ情報端末の前記入力受付部により入力または選択されたデザイン画像をラインストーン付きマスク画像に追加するものである請求項１から請求項３のいずれかに記載のラインストーン付きマスク画像生成システム。
【考案の詳細な説明】
【技術分野】
【０００１】
本考案は、マスクにラインストーンが設けられたラインストーン付きマスク画像を生成するためのラインストーン付きマスク画像生成システムに関するものである。
【背景技術】
【０００２】
昨今の国内外を問わず新型コロナウイルスが蔓延している状況のなか、ウイルス感染を防止するマスクの需要が高まっている。マスクは、ユーザの鼻から顎に亘る範囲を隠すものであって地味でユーザの個性が表れにくいため、装飾的なデザイン性が求められていた。
【０００３】
そこで、従来、特許文献１に示すように、表面にイラストや模様が描かれたマスクがあった。これによれば、描かれたイラストや模様により、マスクの地味でユーザの個性が表れにくい欠点を幾分や和らげることができた。
【先行技術文献】
【特許文献】
【０００４】
【特許文献１】登録実用新案第３１２１５８４号
【考案の概要】
【考案が解決しようとする課題】
【０００５】
しかしながら、これらのマスクは、多くのデザインが存在しているが、該デザインが製造者により一方的に採用されたものであるため、該デザインの幅が非常に狭かった。このため、ユーザは、自分の好みに完全に合致したマスクに出会うことができず、好みに近いものを妥協して選択していた。
【０００６】
また、これらのマスクは、表面に平面的な画像を印刷したものであるため、全体的にも平面的な装飾の域を出なかった。このため、十分な装飾性や見た者を驚かせるような意外性を備えるものではなかった。
【０００７】
本考案は、上述の技術的背景に鑑みてなされたものであり、装飾性の高い立体的なデザインのラインストーン付きマスクを自由に生成できるラインストーン付きマスク画像生成システムを提供することを目的とする。
【課題を解決するための手段】
【０００８】
本考案は、上記目的を達成するために、ユーザ情報端末と、該ユーザ情報端末とネットワークを介して通信可能に接続されたサーバ装置とから構成され、マスクにラインストーンが設けられたラインストーン付きマスク画像を生成するためのラインストーン付きマスク画像生成システムであって、前記ユーザ情報端末は、各種画像を表示する画像表示部と、各種入力を受け付ける入力受付部とを備え、前記サーバ装置は、複数のマスク画像を記憶するマスク画像データベースと、複数のラインストーン画像を記憶するラインストーン画像データベースと、マスク画像にラインストーン画像を配置したラインストーン付きマスク画像を記憶するラインストーン付きマスク画像データベースと、各部を制御する制御部とを備え、前記制御部は、前記マスク画像データベースに記憶されている複数のマスク画像をユーザ情報端末の画像表示部に表示させ、前記ユーザ情報端末の前記入力受付部によりマスク画像を選択せしめるマスク画像選択部と、前記ラインストーン画像データベースに記憶されている複数のラインストーン画像を前記ユーザ情報端末の前記画像表示部に表示させ、前記ユーザ情報端末の前記入力受付部によりラインストーン画像を選択せしめるラインストーン画像選択部と、前記ユーザ情報端末の前記入力受付部により選択されたマスク画像とラインストーン画像に基づいてラインストーン付きマスク画像を生成し、該ラインストーン付きマスク画像を前記ラインストーン付きマスク画像データベースに記憶させるラインストーン付きマスク画像生成部とを備えることを特徴とする。
【０００９】
これによれば、ユーザは、ユーザ情報端末において所望のマスク画像とラインストーン画像を選択することにより、サーバ装置においてラインストーン付きマスク画像が生成されるため、立体的で装飾性の高いラインストーン付きマスクを簡単かつ確実にデザインすることができる。また、製造者は、ユーザによりデザインされたラインストーン付きマスク画像に基づいて実物のラインストーン付きマスクを簡単かつ確実に製造することができる。
【００１０】
また、前記ラインストーン画像選択部は、前記ユーザ情報端末の前記画像表示部においてラインストーン画像をマスク画像の所望の位置に配置可能に表示させるものであるのが好ましい。これによれば、ユーザは、ユーザ情報端末において所望のラインストーン画像を所望のマスク画像の所望の位置に配置することができるため、ラインストーン付きマスクのデザインの自由度が向上する。
【００１１】
また、前記ラインストーン画像選択部は、前記ユーザ情報端末の前記画像表示部においてラインストーン画像を所望の色彩、大きさ、および／または向きに変更可能に表示させるものであるのが好ましい。これによれば、ユーザは、ユーザ情報端末において所望のラインストーン画像の色彩、大きさ、および／または向きを変更することができため、ラインストーン付きマスクのデザインの自由度がより一層向上する。
【００１２】
また、前記ラインストーン付きマスク画像生成部は、前記ユーザ情報端末の前記入力受付部により入力または選択されたデザイン画像をラインストーン付きマスク画像に追加するものであるのが好ましい。これによれば、ユーザは、ラインストーン付きマスク画像にラインストーン画像以外のデザイン画像を追加することができるため、ラインストーン付きマスクのデザインの自由度がより一層向上する。
【考案の効果】
【００１３】
本考案によれば、本システムのユーザは、ユーザ情報端末において所望のマスク画像とラインストーン画像を選択することにより、サーバ装置においてラインストーン付きマスク画像が生成されるため、立体的で装飾性の高いラインストーン付きマスクを簡単かつ確実にデザインすることができる。また、製造者は、ユーザによりデザインされたラインストーン付きマスク画像に基づいて実物のラインストーン付きマスクを簡単かつ確実に製造することができる。
【図面の簡単な説明】
【００１４】
【図１】本システムの構成を示す全体構成図である。
【図２】サーバ装置の構成を示すブロック図である。
【図３】ユーザ情報端末における画面表示を示す第１の図である。
【図４】ユーザ情報端末における画面表示を示す第２の図である。
【図５】ユーザ情報端末における画面表示を示す第３の図である。
【図６】ユーザ情報端末における画面表示を示す第４の図である。
【考案を実施するための形態】
【００１５】
次に、本考案に係るラインストーン付きマスク画像生成システム（以下、本システムという）について図１〜図６を参照しつつ説明する。なお、本明細書において、ラインストーンとは、一般に爪や鞄の表面に貼り付けられる鉱物製あるいは樹脂製の立体的な装飾物をいう。
【００１６】
本システムは、マスクにラインストーンが設けられたラインストーン付きマスク画像を生成するためのシステムであって、図１に示すようにユーザＵのユーザ情報端末１と、各ユーザ情報端末１にネットワークを介して接続されたサーバ装置２、該サーバ装置２に接続された製造者端末３とから構成される。
【００１７】
前記ユーザ情報端末１は、例えばネットワークに接続可能なスマートフォンであって、各種情報の入出力が可能なタッチパネル１１と、サーバ装置２と通信可能な通信部１２を備える。なお、本実施形態では、ユーザ情報端末１としてスマートフォンを採用しているが、タブレット端末やＰＣなどのその他の情報端末であってもよい。
【００１８】
前記タッチパネル１１は、図４に示すように、各種画像を表示する画像表示部として機能する画像表示領域１１１と、画像の選択等についての入力を受け付ける入力受付部として機能する入力受付領域１１２を備える。
【００１９】
前記通信部１２は、ユーザ情報端末１の入力受付領域１２における入力情報をサーバ装置２に送信するとともに、各種画像Ｇ１、Ｇ２、Ｇ３の画像情報をサーバ装置２から受信する。
【００２０】
前記サーバ装置２は、図２に示すように、各種情報を記憶するデータベース部２１と、ユーザ情報端末１と通信可能な通信部２２と、各部を制御する制御部２３とを備えている。
【００２１】
前記データベース部２１は、マスクの画像であるマスク画像Ｇ１を記憶するマスク画像データベース２１１と、ラインストーンの画像であるラインストーン画像Ｇ２を記憶するラインストーン画像データベース２１２と、マスク画像Ｇ１にラインストーン画像Ｇ２を配置したラインストーン付きマスク画像Ｇ３を記憶するラインストーン付きマスク画像データベース２１３と、ユーザ情報端末１のユーザ情報を記憶する顧客情報データベース２１４とを備えている。
【００２２】
前記マスク画像データベース２１１は、予め用意された複数種類のマスク画像Ｇ１を記憶している。なお、このマスク画像Ｇ１は、ユーザＵにより別の形状や色に加工可能であってもよい。
【００２３】
前記ラインストーン画像データベース２１２は、図５に示すように、複数個のラインストーンがまとまって図形を形成したラインストーン画像Ｇ２を記憶している。なお、このラインストーン画像Ｇ２は、１個のラインストーンから形成されるものであってもよい。
【００２４】
前記顧客情報データベース２１４は、本システムを利用するユーザ情報端末１のユーザ情報を記憶する。
【００２５】
前記通信部２２は、ユーザ情報端末１の通信部１２と通信を行う。この通信部２２は、ユーザ情報端末１の入力受付領域１２における入力情報を受信するとともに、各種画像Ｇ１、Ｇ２、Ｇ３の画像情報をユーザ情報端末１に送信する。
【００２６】
前記制御部２３は、ユーザ情報端末１においてマスク画像Ｇ１を選択せしめるマスク画像選択部２３１と、ラインストーン画像Ｇ２を選択せしめるラインストーン画像選択部２３２と、選択されたマスク画像Ｇ１とラインストーン画像Ｇ２に基づいてラインストーン付きマスク画像Ｇ３を生成するラインストーン付きマスク画像生成部２３３と、ユーザ情報を管理する顧客情報管理部２３４とを備えている。
【００２７】
前記マスク画像選択部２３１は、図３に示すように、マスク画像データベース２１１に記憶されているマスク画像Ｇ１を通信部１２、２２を介してユーザ情報端末１の画像表示領域１１１に表示させ、複数のマスク画像Ｇ１の中から一のマスク画像Ｇ１をユーザＵに選択せしめる。
【００２８】
また、前記マスク画像選択部２３１は、ユーザ情報端末１の入力受付領域１１２におけるユーザＵの入力に基づいて、ユーザ情報端末１の画像表示領域１１１においてマスク画像Ｇ１の色彩、大きさ、位置または向きを変更可能に表示させてもよい。
【００２９】
前記ラインストーン画像選択部２３２は、図４に示すように、ラインストーン画像データベース２１２に記憶されているラインストーン画像Ｇ２を通信部１２、２２を介してユーザ情報端末１の画像表示領域１１１に表示させ、ラインストーン画像Ｇ２の中から一又は複数のラインストーン画像Ｇ２をユーザＵに選択せしめる。
【００３０】
また、前記ラインストーン画像選択部２３２は、ユーザ情報端末１の入力受付領域１１２におけるユーザＵの入力に基づいて、ユーザ情報端末１の画像表示領域１１１においてラインストーン画像Ｇ２を所望の位置に配置可能に表示させてもよい。これによれば、ユーザＵは、ユーザ情報端末１において所望のラインストーン画像Ｇ２を所望のマスク画像Ｇ１の所望の位置に配置することができるため、ラインストーン付きマスクのデザインの自由度が向上する。
【００３１】
また、前記ラインストーン画像選択部２３２は、ユーザ情報端末１の入力受付領域１１２におけるユーザＵの入力に基づいて、ユーザ情報端末１の画像表示領域１１１においてラインストーン画像Ｇ２を所望の色彩、大きさ、および／または向きを変更可能に表示させてもよい。これによれば、ユーザＵは、ユーザ情報端末１において所望のラインストーン画像Ｇ２の色彩、大きさ、および／または向きを変更することができため、ラインストーン付きマスクのデザインの自由度がより一層向上する。
【００３２】
前記ラインストーン付きマスク画像生成部２３３は、図５に示すように、ユーザ情報端末１の入力受付領域１１２におけるユーザＵの入力に基づいて、前記マスク画像選択部２３１により選択せしめられたマスク画像Ｇ１とラインストーン画像選択部２３２により選択せしめられたラインストーン画像Ｇ２とを重ねることにより、ラインストーン付きマスク画像Ｇ３を生成する。
【００３３】
また、前記ラインストーン付きマスク画像生成部２３３は、図４に示すように、ユーザ情報端末１の入力受付部１１２により入力または選択されたデザイン画像Ｇ４をラインストーン付きマスク画像Ｇ３に追加してもよい。なお、デザイン画像Ｇ４は、例えば動物、スポーツ、写真、シルエット等に関する画像が挙げられる。これによれば、ユーザＵは、ラインストーン付きマスク画像Ｇ３にラインストーン画像Ｇ２以外のデザイン画像Ｇ４を追加することができるため、ラインストーン付きマスクのデザインの自由度がより一層向上する。
【００３４】
前記顧客情報管理部２３４は、ボタン「このデザインで注文」がクリックされるなどして注文が決定されると、図６に示すように、ユーザ情報端末１のタッチパネル１１に発注確認画面を表示させ、発注するマスクの数量を入力せしめる。
【００３５】
また、前記顧客情報管理部２３４は、タッチパネル１１に発注するマスクの数量が入力され、図略の確定ボタンがクリックされると、マスクの数量とユーザ情報端末１のユーザ情報を顧客情報データベース２１４に記憶させる。
【００３６】
次に、本システムのサーバ装置２の動作について説明する。
【００３７】
まず、前記マスク画像選択部２３１は、図３に示すように、マスク画像データベース２１１に記憶されているマスク画像Ｇ１を通信部１２、２２を介してユーザ情報端末１の画像表示領域１１１に表示させ、表示させたマスク画像Ｇ１の中から一のマスク画像Ｇ１をユーザＵに選択せしめる。
【００３８】
次に、前記ラインストーン画像選択部２３２は、図４に示すように、ラインストーン画像データベース２１２に記憶されているラインストーン画像Ｇ２を通信部１２、２２を介してユーザ情報端末１の画像表示領域１１１に表示させ、表示させたラインストーン画像Ｇ２の中から一又は複数のラインストーン画像Ｇ２をユーザＵに選択せしめる。
【００３９】
次に、前記ラインストーン付きマスク画像生成部２３３は、図５に示すように、ユーザ情報端末１の入力受付領域１１２におけるユーザＵの入力に基づいて、マスク画像選択部２３１により選択せしめられたマスク画像Ｇ１とラインストーン画像選択部２３２により選択せしめられたラインストーン画像Ｇ２とを重ねることにより、ラインストーン付きマスク画像Ｇ３を生成する。
【００４０】
次に、前記顧客情報管理部２３４は、ボタン「このデザインで注文」がクリックされるなどして注文が決定されると、図６に示すように、ユーザ情報端末１のタッチパネル１１に発注確認画面を表示させ、発注するマスクの数量を入力せしめたあと、マスクの数量とユーザ情報端末１のユーザ情報を顧客情報データベース２１４に記憶させる。
【００４１】
最後に、製造者Ｍは、サーバ装置２から管理端末３を介してラインストーン付きマスク画像Ｇ３を出力させ、出力されたラインストーン付きマスク画像Ｇ３に基づいて実物のラインストーン付きマスクを製造する。
【００４２】
而して、本システムのユーザＵは、ユーザ情報端末１において所望のマスク画像Ｇ１とラインストーン画像Ｇ２を選択することにより、サーバ装置２においてラインストーン付きマスク画像Ｇ３が生成されるため、立体的で装飾性の高いラインストーン付きマスクを簡単かつ確実にデザインすることができる。また、製造者Ｍは、ユーザＵによりデザインされたラインストーン付きマスク画像Ｇ３に基づいて実物のラインストーン付きマスクを簡単かつ確実に製造することができる。
【００４３】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００４４】
１…ユーザ情報端末
１１…タッチパネル
１１１…画像表示領域（画像表示部）
１１２…入力受付領域（入力受付部）
１２…通信部
２…サーバ装置
２１…データベース部
２１１…マスク画像データベース
２１２…ラインストーン画像データベース
２１３…ラインストーン付きマスク画像データベース
２１４…顧客情報データベース
２２…通信部
２３…制御部
２３１…マスク画像選択部
２３２…ラインストーン画像選択部
２３３…ラインストーン付きマスク画像生成部
２３４…顧客情報管理部
３…管理端末
Ｇ１…マスク画像
Ｇ２…ラインストーン画像
Ｇ３…ラインストーン付きマスク画像
Ｕ…ユーザ
Ｍ…製造者
【図１】
0003232211.tif 000003
【図２】
0003232211.tif 000004
【図３】
0003232211.tif 000005
【図４】
0003232211.tif 000006
【図５】
0003232211.tif 000007
【図６】
0003232211.tif 000008